(57)【要約】【課題】  収納時には階段として有効に使用でき、すべり台の傾斜面をすべり下りたときに怪我をするおそれがなく、安全に遊戯を楽しむことができる屋内すべり台を提供する。【解決手段】  屋内すべり台２０は、すべり面Ｓを有するすべり板２１と、すべり面である傾斜面に連なる上面を有する傾斜面延長部材１１とを備える。すべり板２１は、第一の位置として、階段３０の傾斜に沿って階段３０の上に重なるように配置させることにより、すべり台用傾斜面を形成し、すべり面Ｓをすべり下りることができる。傾斜面延長部材１１は、すべり台用傾斜面の形成時に、階段３０の下方に位置し、その上面は傾斜面に連なる。収納時には、すべり板２１は階段３０の横にある壁面に保持され、傾斜面延長部材１１は、階段３０の最下段３２の内部の収納部に収納される。【選択図】      図１
2006340987.tif 000002
【特許請求の範囲】
【請求項１】
屋内の階段を利用した屋内すべり台であって、
前記階段上に重なるように配置されてすべり台用傾斜面を形成する第一の位置と、前記階段を露出するように前記階段の横に立てた状態で保持される第二の位置とを選択的にとり得るすべり板と、
前記階段の下方領域に位置して、前記第一の位置にある前記すべり板の傾斜面に連なる上面を有する傾斜面延長部材とを備える、屋内すべり台。
【請求項２】
前記傾斜面延長部材の上面は、前記すべり板の傾斜面から滑らかに連なる凹状湾曲面を有する、請求項１に記載の屋内すべり台。
【請求項３】
前記傾斜面延長部材は、弾力性を有するクッション部を含む、請求項１または２に記載の屋内すべり台。
【請求項４】
前記すべり板の上端部は、前記すべり板が前記第一の位置にあるときに、前記階段の水平面と面一になる端面を有している、請求項１〜３のいずれかに記載の屋内すべり台。
【請求項５】
前記階段の最下段は、内部に収納部を有し、
前記傾斜面延長部材は、前記収納部に取り出し可能に収納されている、請求項１〜４のいずれかに記載の屋内すべり台。
【請求項６】
前記すべり板は、その幅方向に折りたたむことができる、請求項１〜５のいずれかに記載の屋内すべり台。
【請求項７】
前記すべり板は、その一方の側端部に手すりを含む、請求項１〜６のいずれかに記載の屋内すべり台。
【発明の詳細な説明】
【技術分野】
【０００１】
この発明は、屋内すべり台に関し、特に、遊戯用の屋内すべり台に関する。
【背景技術】
【０００２】
子供が健全に発育していくためには、物心がつく頃からの生活習慣の躾等もさることながら、親と子供が一緒に遊びながら、情操教育をすることも非常に重要である。親と子供が一緒に遊ぶことにより、共に楽しむ気持ちや時間を共有でき、また、遊戯を通して、子供は親からの愛情を一身に感じることができ、子供の健全な発育を助長する大きなきっかけとなる。特に、小さな子供の場合、ブランコや登り棒、鉄棒等、共に体を動かして登ったり、揺れ動いたり、滑走したりして笑いながら遊ぶことが何より記憶に残り、親からの愛情を容易に思い出すことができるものである。また、親としても、子供に愛情を注ぎ、共に体を動かして遊ぶことは、子を持つ親としての至福の一時であり、このような記憶は、子供が成長し、自らが年老いた晩年になっても、記憶に留めたいものである。
【０００３】
こういった親と子供の絆を深める遊具は、共に生まれ育った家の中のものでできれば、よりいっそう思い深くなるものである。たとえば、窓や階段、タンスや机等を活用して遊具として遊戯することができれば、普段から目に入り、簡単に手に触れることができるものであるため、一緒に遊んだ楽しく美しい思い出を、容易に思い出すことができる。
【０００４】
ここで、上記した家の中にあるもののうち、屋内における階段を利用したすべり台に関する技術が、特開２００２−１７８７８号公報（特許文献１）に開示されている。特許文献１によると、屋内すべり台は、すべり面を有するすべり板を備え、すべり板は、その一方端が屋内の階段の壁面部分に回動自在に取り付けられ、他方端が壁面部分に着脱可能に取り付けられている。屋内すべり台を使用する時には、他方端を壁面部分から離脱させ、すべり板を階段上に配置し、階段の傾斜を利用して、屋内すべり台を形成する。
【０００５】
特許文献１によると、屋内すべり台は、火災等が発生した場合の緊急の避難時に、屋内すべり台を他の場所から持ってくる必要なく、足が不自由で階段を自分の足で下りることができない人や、子供、老人など階段を素早く下りて避難することが困難な人を、迅速に階下に下ろすために利用されるものである。
【特許文献１】特開２００２−１７８７８号公報（段落番号００１６〜００２２、図１）
【発明の開示】
【発明が解決しようとする課題】
【０００６】
しかしながら、このようなすべり台を使用して子供が一人で遊戯すれば、すべり板の下方の硬い平地部と直接、大きな衝撃で衝突し、怪我をするおそれがあり、特に、小さい子供にとっては、非常に危険である。このような場合、親と子供が一緒にすべりおりれば、子供は大きな怪我をするおそれは減るが、自我が芽生え始めた子供にとっては、時には一人ですべり下りたいと主張する場合もある。親はこのような場合、階下で待って、すべりおりてきた子供を受け取らなければならず、受け取り損ねる危険を伴うことになる。このように、子供が常に安全にすべり下りることができないすべり台では、子供は安心してすべり台による遊戯を楽しむことができない。
【０００７】
この発明は、収納時には階段として有効に使用でき、すべり台の傾斜面をすべり下りたときに怪我をするおそれがなく、安全に遊戯を楽しむことができる屋内すべり台を提供することを目的とする。
【課題を解決するための手段】
【０００８】
この発明に係る屋内すべり台は、屋内の階段を利用したものである。上記した屋内すべり台は、階段上に重なるように配置されてすべり台用傾斜面を形成する第一の位置と、階段を露出するように階段の横に立てた状態で保持される第二の位置とを選択的にとり得るすべり板と、階段の下方領域に位置して、第一の位置にあるすべり板の傾斜面に連なる上面を有する傾斜面延長部材とを備える。
【０００９】
このように構成することにより、すべり台を使用して遊戯する子供は、傾斜面をすべり下りた後に、階段の下方領域に位置して、すべり板の傾斜面に連なる傾斜面延長部材にすべり下りることになり、硬い平地部と直接、衝突することがなくなり、怪我をするおそれがなくなる。
【００１０】
好ましくは、傾斜面延長部材の上面は、すべり板の傾斜面から滑らかに連なる凹状湾曲面を有する。こうすることにより、すべり下りる位置となる傾斜面延長部材の上面で、すべり下りる速度を徐々に減少させることができ、より安全にすべり下りることができる。
【００１１】
より好ましくは、傾斜面延長部材は、弾力性を有するクッション部を含んでもよい。こうすることにより、傾斜面延長部材にすべり下りたときの衝撃を、弾力性を有するクッション部が吸収することができ、怪我をするおそれがなくなる。
【００１２】
さらに好ましくは、すべり板の上端部は、すべり板が第一の位置にあるとき、すなわち、すべり台用傾斜面を形成しているときに、階段の水平面と面一になる端面を有していてもよい。こうすることにより、すべり台用傾斜面を形成しているときに、すべり板の上端部と階段の水平面との段差やすき間がなくなるため、子供が遊戯を開始するとき、すなわち、すべり下り始めようとするときに、段差によってつまずいたり、すき間に足が引っ掛って転倒したりして、怪我をするおそれがなくなる。
【００１３】
さらに好ましくは、階段の最下段は、内部に収納部を有し、傾斜面延長部材は、収納部に取り出し可能に収納されていてもよい。こうすることにより、傾斜面延長部材は、階段の使用時には、傾斜面延長部材を収納部に収納することができ、階段使用時に階段の昇降の邪魔にはならない。また、階段使用時、すなわち、すべり台用傾斜面を形成しないときは、屋内における収納スペースを有効に利用することができる。
【００１４】
また、すべり板は、その幅方向に折りたたむことができるようにしてもよい。こうすることにより、すべり板を幅方向に折りたたんで階段部分を露出させ、その部分を使って階段を上ることができ、すべり下りるときには、折りたたんだすべり板の幅を広くして、親と子が一緒にすべり下りることができ、安心して遊戯することができる。
【００１５】
なお、すべり板は、その一方の側端部に手すりを含んでもよい。こうすることにより、階段使用時に、階段の横に保持されたすべり板の一方の側端部に含まれた手すりを利用して階段を昇降することができ、階段の横に立てた状態のすべり板を有効に使用し、より安全に階段を昇降することができる。
【発明の効果】
【００１６】
この発明によれば、屋内すべり台を使用して遊戯する子供は、すべり面をすべり下りた後に、階段の下方領域に位置して、すべり板の傾斜面に連なる傾斜面延長部材にすべり下りることになるため、硬い平地部と直接、衝突することがなくなり、怪我をするおそれがなくなる。
【００１７】
また、階段使用時には、すべり板は階段の横に立てた状態で保持され、傾斜面延長部材は階段の最下段の内部に収納されるため、階段の昇降の邪魔にならない。
【００１８】
その結果、収納時には階段として有効に使用でき、すべり台の傾斜面をすべり下りたときに怪我をするおそれがなく、安全に遊戯を楽しむことができる屋内すべり台を提供することができる。
【発明を実施するための最良の形態】
【００１９】
以下、この発明の実施の形態を図面を参照して説明する。図１は、すべり台用傾斜面を形成した時の屋内すべり台２０を表した図である。図１を参照して、屋内すべり台２０は、すべり板２１と、傾斜面延長部材１１とを有する。すべり板２１は、摩擦が少ない平滑なすべり面Ｓを有し、第一の位置として、階段３０を利用して、階段３０の傾斜に沿って階段３０の上に重なるように配置させることにより、すべり台用傾斜面を形成し、すべり面Ｓをすべり下りることができる。すべり板２１の幅や長さは、階段３０の上に重なるように配置したときに、階段３０のほぼ全面を覆うような幅および長さである。このような幅にすることにより、親と子供が一緒にすべり下りることができる。また、このような長さにすることにより、すべり下りる距離を長くすることができ、遊戯性を向上することができる。また、後述する階段の下方に位置する傾斜面延長部材とすき間なく、傾斜面を形成することができる。なお、すべり板２１の厚みは、すべり台用傾斜面の形成時に、親と子供等の遊戯者がすべり板２１の上に乗っても、折れたり、曲がったりしない程度の剛性が維持できる厚みがあればよい。
【００２０】
階段３０の下方領域、具体的には、すべり台用傾斜面の形成時におけるすべり板２１の下端部２７の下方領域には、すべり板２１の傾斜面であるすべり面Ｓに連なる上面を有する傾斜面延長部材１１が配置されている。図２は、屋内すべり台２０に含まれる傾斜面延長部材１１を表した図である。図２を参照して、傾斜面延長部材１１は、階段３０の最下段３２の内部に設けられた収納部に傾斜面延長部材１１を収納したり、取り出したりすることを可能とする取っ手部１２と、傾斜面延長部材１１の上面に位置し、すべり板２１の下端部２７の下方領域に配置されたときに、すべり板２１の傾斜面と滑らかに連なる凹状湾曲面１３と、取っ手部１２が取り付けられる前面部１４とを有する。
【００２１】
傾斜面延長部材１１は、その全体が、衝撃を吸収する弾力性を有するクッション部から構成されている。したがって、傾斜面をすべり下りてきたとしても、弾力性を有するクッション部が衝撃を吸収するため、怪我をするおそれはない。なお、傾斜面延長部材１１は、全体として、最下段３２の内部に設けられた収納部に収納することができる大きさである。
【００２２】
凹状湾曲面１３は、すべり板２１の下端部２７の下方領域に配置されたときに、すべり板２１の下端部２７に対向する位置から前面部１４に向かう方向に、下方向に凹んで、その後、ゆるやかに上っていく滑らかな凹状の湾曲面を構成している。こうすることにより、傾斜面から傾斜面延長部材１１の上面に位置する凹状湾曲面１３まで、なめらかにすべり下りることができる。また、すべり下りたときの凹状湾曲面１３内での速度を、徐々に減少させることができ、安全にすべり下りることができる。
【００２３】
図１に戻って、すべり板２１を階段３０の上に配置したときに、すべり板２１の上端部２６は、階段３０の最上段の水平面３１と面一になるように、すなわち、高低差がほとんどないような端面であって、水平面３１とすべり板２１の上端部２６との間のすき間が大きくならないように構成されている。こうすることにより、階段３０の最上段の水平面３１と上端部２６との間の段差およびすき間をなくすことができ、遊戯する子供等の遊戯開始時、すなわち、階段３０の最上段からすべり板２１をすべり下り始めるときに、段差によるつまずきや、すき間による転倒を防止することができる。
【００２４】
次に、屋内すべり台２０が収納され、階段３０が使用される場合を説明する。図３は、屋内すべり台２０の収納された状態を表した図である。図３を参照して、すべり板２１は、その一方側端部が階段３０の横にある壁面のうち、階段との境界に近い部分に取り付けられ、保持されている。すべり板２１の壁面への取り付けは、回動自在なローラ付き金具２５ａ、２５ｂでなされている。したがって、すべり板２１は、階段３０の上方に配置したり、壁面に沿う位置に配置したりすることができる。すべり板２１の他方側端部の近傍には、係止部２４ａ、２４ｂが設けられている。係止部２４ａ、２４ｂは、保持具２３ａ、２３ｂによって、階段３０の壁面部分に設けられたピン２２ａ、２２ｂと着脱可能である。
【００２５】
保持具２３ａ、２３ｂによって、係止部２４ａ、２４ｂとピン２２ａ、２２ｂとを接続することにより、第二の位置として、すべり板２１を階段３０の横にある壁面に沿うように、すべり板２１を立てた状態で保持することができる。この状態で、階段３０は露出されており、階段３０を使用することができる。また、保持具２３ａ、２３ｂを取り外し、係止部２４ａ、２４ｂとピン２２ａ、２２ｂとの接続を解除することにより、保持されたすべり板２１の他方側端部を、壁面部分から離脱することができる。したがって、すべり板２１は、保持具２３ａ、２３ｂの着脱により、選択的に、階段３０の横にある壁面に沿うように立てた状態で保持することもでき、階段３０の傾斜に沿って階段３０の上に重なるように配置することもできる。
【００２６】
また、すべり板２１は階段３０の横の壁面に沿うように保持されたときに、上方に位置する側端部に手すり２８を含む。こうすることにより、階段３０の使用時、すなわち、すべり板２１を階段３０の横の壁面に沿うような状態で保持しているときに、一方の側端部に設けられた手すり２８を有効に使用することができ、安全に階段を昇降することができる。特に、屋内すべり台２０を使用して一緒に遊んだ子供が成長して大きくなり、また、親も年老いて晩年を迎えた頃、屋内すべり台２０として使用することは少なくなり、階段３０として使用することが多くなる。このような場合、年老いた親は階段３０の横の壁面に沿うように保持されたすべり板２１に設けられた手すり２８を使用して、安全に階段３０の昇降を行うことができると共に、屋内すべり台２０の構成部材であるすべり板２１に直接触れることにより、階段３０の昇降時に、一緒に遊んだ幸せな思い出を思い出すことができる。
【００２７】
階段３０の使用時には、傾斜面延長部材１１は、階段３０の最下段３２の内部に設けられた収納部に収納されている。最下段３２の内部は、特別な使用用途はなく、いわゆる屋内における空き空間となっていることが多く、このような空間を傾斜面延長部材１１の収納スペースとすることにより、屋内における収納スペースを有効に活用することができる。
【００２８】
以上より、すべり台用傾斜面の形成時には、すべり板２１の傾斜面であるすべり面Ｓをすべり下りた後に、傾斜面に連なる上面を有する傾斜面延長部材１１の上にすべり下りることになるため、直接、硬い平地部３３と衝突することがなくなり、怪我をするおそれがなくなる。
【００２９】
また、階段３０の使用時には、すべり板２１を階段３０の横にある壁面に沿うよう立てた状態で保持し、傾斜面延長部材１１を階段３０の最下段３２の内部に設けられた収納部に収納することにより、階段３０の昇降の邪魔とならない。
【００３０】
その結果、屋内すべり台２０は、すべり板２１および傾斜面延長部材１１の収納時には、階段３０を使用することができ、すべり台用傾斜面の形成時には、傾斜面をすべり下りたときに怪我をするおそれがない傾斜面を形成する。
【００３１】
なお、上記した実施の形態において、すべり台用傾斜面の形成時には、階段３０の全面を覆うようにすべり板２１による傾斜面を形成し、これに伴って傾斜面延長部材１１の幅等も定められていたが、階段３０の全面ではなく、階段３０の壁面に近い側を覆うように、傾斜面を形成することにしてもよい。図４は、この場合の屋内すべり台５０を表した図である。図４を参照して、屋内すべり台５０は、すべり板５１と、傾斜面延長部材４１とを有する。すべり板５１は、階段３０のほぼ半分の幅に構成されており、その他の構成は上記した実施の形態と同様である。また、傾斜面延長部材４１もすべり板５１の幅に合わせ、階段３０のほぼ半分の幅に構成されている以外は、上記した実施の形態と同様の構成である。
【００３２】
こうすることにより、親と子が一緒にすべり下りる程度の幅を設けられないが、すべり台用傾斜面の形成時に、すべり板５１に覆われていない部分の階段３０を上ることができるため、繰り返して屋内すべり台５０を遊戯することが容易となる。また、すべり台用傾斜面の形成時に、すべり板５１に覆われていない部分の階段３０を、遊戯者以外の者が自由に昇降することができる。さらに、階段３０の壁面部分や最下段３２の下部の内部に設けられた収納部のスペースを、さらに削減することができる。
【００３３】
また、すべり板は、その幅方向に折りたたむことができるようにしてもよい。すなわち、選択的に、階段の全面を覆ったり、階段３０の一部を露出させることができるようにする。図５は、この場合のすべり板６１を示す図である。図５を参照して、すべり板６１は、その幅を、たとえば、半分に折りたたむことができるように、二枚の板で構成されており、それぞれの板は、蝶番６２で矢印の方向に折りたたみ可能に取り付けられている。すべり板６１を折りたたんだ場合、階段３０の半分が露出され、その部分を使用して、階段を上ることができる。また、すべり下りるときには、折りたたんだ板を戻して、階段の幅いっぱいを覆うようにすべり面を形成することができる。なお、ここでは、傾斜面延長部材を省略しているが、すべり板６１がすべり面を形成したときは、すべり板６１の傾斜面に連なる上面を有する傾斜面延長部材を階段３０の下方領域に位置させる。また、すべり板６１の上端部においても、階段の水平面と面一になるようにしてもよい。
【００３４】
こうすることにより、すべり板６１を階段３０の横に立てかけなくても、階段３０を上ることができ、繰り返して遊戯することができる。また、折りたたんだ板を元に戻すことにより、容易に階段３０の全面を覆うすべり面が形成されるため、親と子供が一緒にすべり下りることができる。
【００３５】
なお、屋内すべり台のまわりに、屋外の雰囲気をかもし出すような絵柄を施して、より親子が屋内すべり台を楽しめるようにしてもよい。すなわち、すべり板２１のすべり面Ｓに芝や草原などの絵を施し、親と子供がすべり面Ｓをすべり下りるときには、屋外における芝や草原をすべり下りるような感覚を想起させ、また、すべり面Ｓの裏面や階段３０の壁面部分に山や高原などの絵を施し、階段３０を上るときには、山登りをするような感覚を想起させるようにしてもよい。こうすることにより、芝や草原の上をすべり下りるような感覚や、山や高原を山登りするような感覚を、屋内すべり台２０で体験することができる。また、階段３０の横の壁面に沿うように保持されたときに、すべり面Ｓの裏面に施された絵が視界に入り、屋内すべり台２０に直接触れることがなくても、上記した楽しく遊んだ幸せな思い出を思い出すことができる。
【００３６】
なお、上記の実施の形態において、傾斜面延長部材１１、４１は、階段３０の使用時には、階段３０の最下段３２の内部の収納部に収納することにしたが、これに限らず、傾斜面延長部材１１、４１を、すべり板２１、５１の下端部２７、５２の下方に取り付けておいてもよい。こうすることにより、階段３０の使用時においては、傾斜面延長部材１１、４１を、すべり板２１、５１とともに階段３０の横の壁面に保持することができ、階段３０の最下段３２の内部に収納部を設ける必要がなくなる。
【００３７】
また、上記の実施の形態において、傾斜面延長部材１１、４１は、階段３０の使用時には、階段３０の最下段３２の内部の収納部に収納したり、階段３０の横の壁面に保持することにしたが、これに限らず、傾斜面延長部材１１、４１を他の場所、たとえば、物置や倉庫等に収納しておき、すべり台用傾斜面の形成時には、傾斜面延長部材１１、４１を収納した他の場所から持ってきて、階段３０の下方領域に配置することにしてもよい。屋内すべり台２０、５０において、すべり台用傾斜面を形成するときは、上記した緊急の避難時ではなく、子供等が遊戯する時であり、予めすべり台用傾斜面を形成するときを把握することができるため、階段３０の周辺に収納しておかなくとも、特に問題はない。
【００３８】
なお、上記の実施の形態において、傾斜面延長部材１１、４１は、階段３０の使用時には、いずれかの場所に収納しておくことにしたが、これに限らず、階段３０の使用時において障害とならなければ、いずれの場所にも収納せず、階段３０の下方領域、すなわち、すべり下りる位置に該当する平地部３３の上に固定されていてもよい。こうすることにより、傾斜面延長部材１１、４１を収納する必要はなく、また、収納スペースを特別に確保する必要もなくなる。
【００３９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４０】
この発明に係る屋内すべり台は、すべり台として使用するときは、すべり台用傾斜面を形成し、傾斜面をすべりおりたときに、硬い平地部と直接、衝突することによる怪我をするおそれがなくなる。したがって、安全にすべり台による遊戯を楽しむことができる。また、収納時には階段を使用することができる。したがって、遊戯用の屋内すべり台に有効に利用できる。
【図面の簡単な説明】
【００４１】
【図１】この発明の一実施形態に係る屋内すべり台２０のすべり台用傾斜面の形成時の状態を表す図である。
【図２】図１に示した屋内すべり台２０に含まれる傾斜面延長部材１１を示す図である。
【図３】階段使用時における、図１に示した屋内すべり台２０の収納された状態を表す図である。
【図４】この発明の他の実施形態に係る屋内すべり台５０を表す図である。
【図５】この発明のさらに他の実施形態に係る屋内すべり台に含まれるすべり板６１を表す図である。
【符号の説明】
【００４２】
１１，４１  傾斜面延長部材、１２  取っ手部、１３  凹状湾曲面、１４  前面部、２０，５０  屋内すべり台、２１，５１，６１  すべり板、２２ａ，２２ｂ  ピン、２３ａ，２３ｂ  保持具、２４ａ，２４ｂ  係止部、２５ａ，２５ｂ  ローラ付き金具、２６  上端部、２７，５２  下端部、３０  階段、３１  水平面、３２  最下段、３３  平地部、６２  蝶番。
【図１】
2006340987.tif 000003
【図２】
2006340987.tif 000004
【図３】
2006340987.tif 000005
【図４】
2006340987.tif 000006
【図５】
2006340987.tif 000007